(57)【要約】  ２つのレンズ装置１０Ｒ，１０Ｌを有し、レンズ装置１０Ｒ，１０Ｌにおける基線長を変更することが可能なシステムは、立体感の度合いを指示するためのつまみ６０と、つまみ６０により指示された立体感の度合いを示す情報と、レンズ装置１０Ｒ，１０Ｌが装着されるカメラ装置２０Ｒ，２０Ｌにより撮影される被写体に応じたカメラ装置２０Ｒ，２０Ｌの撮影条件とを利用して、当該撮影条件に適した立体映像データを、つまみ６０で指示された度合いの立体感で得るのに最適な基線長を算出し、その情報を出力する基線長算出部５２とを備える。
2012128178.tif 000002
【特許請求の範囲】
【請求項１】
２つのレンズ装置を有し、前記２つのレンズ装置における基線長を変更することが可能な立体映像撮影用レンズシステムであって、
前記立体映像の立体感の度合いを指示するための立体感操作部と、
前記立体感操作部を介して指示された前記立体感の度合いを示す情報と前記２つのレンズ装置が装着されるカメラ装置の撮影条件とを利用して、前記撮影条件に適した立体映像データを、前記立体感操作部によって指示された度合いの立体感で得るのに最適な基線長を算出し、当該基線長の情報を出力する基線長算出部とを備える立体映像撮影用レンズシステム。
【請求項２】
請求項１記載の立体映像撮影用レンズシステムであって、
前記基線長算出部から出力された基線長の情報に基づいて当該基線長となるよう前記２つのレンズ装置の少なくとも一方の位置を制御するレンズ位置制御部を備える立体映像撮影用レンズシステム。
【請求項３】
請求項２記載の立体映像撮影用レンズシステムであって、
前記基線長算出部は、前記２つのレンズ装置が装着されるカメラ装置による撮影画の記録中は、前記立体感操作部の操作の有無に関わらず、前記撮影画の記録開始直前に指示された前記立体感の度合を示す情報と前記撮影条件とを利用して前記最適な基線長を算出する立体映像撮影用レンズシステム。
【請求項４】
請求項１〜３のいずれか１項記載の立体映像撮影用レンズシステムであって、
前記基線長算出部は、前記２つのレンズ装置を操作するためのレンズ操作部に設けられる立体映像撮影用レンズシステム。
【請求項５】
請求項４記載の立体映像撮影用レンズシステムであって、
前記立体感操作部は、前記レンズ操作部に設けられる立体映像撮影用レンズシステム。
【請求項６】
請求項１〜５のいずれか１項記載の立体映像撮影用レンズシステムであって、
前記基線長算出部から出力された前記基線長の情報を表示する表示装置を備える立体映像撮影用レンズシステム。
【発明の詳細な説明】
【技術分野】
【０００１】
本発明は、立体映像撮影用レンズシステムに関する。
【背景技術】
【０００２】
近年、観察者に対して映像を立体的に見せることのできる所謂３Ｄ対応の薄型テレビの開発が盛んである。テレビ業界においても、視聴者に映像を立体的に見せることが可能な形式の立体映像データを作成する必要性が増しており、立体映像データを得ることが可能な３Ｄ撮影に対応したテレビカメラシステムの需要が今後増加すると予測される。【０００３】
立体映像データを得るには、視差のある２つの映像データを同時に得ることができればよく、２つの撮像部を左右に離して配置した３Ｄ撮影システムが一般的に用いられる（特許文献１〜３参照）。【０００４】
この３Ｄ撮影システムにおいて、２つの撮像部の各々に含まれる光学系の光軸間の距離は基線長と呼ばれており、この基線長の大きさを変えることで、２つの撮像部から得られる２つの映像データの視差を調整することができる。【０００５】
例えば、特許文献１には、２つの撮像部を有する１台のカメラにおいて、ズームレンズ位置やフォーカスレンズ位置に応じて最適基線長を算出し、その基線長となるように２つの撮像部間の距離を制御することが記載されている。【０００６】
また、特許文献２には、２つの光学系と１つの撮像素子によって３Ｄ撮影を行うカメラにおいて、焦点距離と被写体距離から２つの光学系の間の最適基線長を算出し、その基線長となるように２つの光学系間の距離を制御することが記載されている。【０００７】
また、特許文献３には、２台のカメラを有するシステムにおいて、ユーザが所望の被写体距離を設定すると、その被写体距離に基づいて、２台のカメラにおける輻輳角及び基線長を算出して表示部に表示すると共に、２台のカメラにおける輻輳角と基線長を変更することが記載されている。
【先行技術文献】
【特許文献】
【０００８】
【特許文献１】日本国特開２０１０−２１７４１０号公報
【特許文献２】日本国特開２００２−１１２２８８号公報
【特許文献３】日本国特開２００７−２８８２２９号公報
【発明の概要】
【発明が解決しようとする課題】
【０００９】
特許文献１〜３に記載のシステムによれば、ズームレンズ位置、フォーカスレンズ位置、焦点距離、被写体距離等の被写体に応じて決まるカメラの撮影条件に応じて基線長を変更することができるため、撮りたい被写体に適した立体感を持つ立体映像データを得ることが可能である。しかし、映像の好みはカメラマンによって異なるため、被写体に応じて決まるカメラの撮影条件に応じて立体感が自動で決まってしまうシステムでは、カメラマンにとって使い勝手が良いとは必ずしも言えない。【００１０】
特許文献１，２には、基線長を手動で変更できる構成が記載されているが、被写体に応じて決まるカメラの撮影条件とは無関係に基線長を手動で変えて良好な立体映像データを得るにはかなりの熟練が必要であり、簡単な操作で良好な立体映像データを得られることが求められる。【００１１】
本発明は、上記事情に鑑みてなされたものであり、所望の立体感を持つ良好な立体映像データを簡単な操作で得ることが可能な立体映像撮影用レンズシステムを提供することを目的とする。
【課題を解決するための手段】
【００１２】
本発明の立体映像撮影用レンズシステムは、２つのレンズ装置を有し、前記２つのレンズ装置における基線長を変更することが可能な立体映像撮影用レンズシステムであって、前記立体映像の立体感の度合いを指示するための立体感操作部と、前記立体感操作部を介して指示された前記立体感の度合いを示す情報と前記２つのレンズ装置が装着されるカメラ装置の撮影条件とを利用して、前記撮影条件に適した立体映像データを、前記立体感操作部によって指示された度合いの立体感で得るのに最適な基線長を算出し、当該基線長の情報を出力する基線長算出部とを備えるものである。
【発明の効果】
【００１３】
本発明によれば、所望の立体感を持つ良好な立体映像データを簡単な操作で得ることが可能な立体映像撮影用レンズシステムを提供することができる。
【図面の簡単な説明】
【００１４】
【図１】本発明の一実施形態を説明するための立体映像撮影システムの概略構成を示す図
【図２】図１に示される立体映像撮影システムにおけるフォーカスコントローラ３１の内部構成を詳細に示す図
【図３】図１に示される立体映像撮影システムにおけるフォーカスコントローラ３１とフォーカスノブ３２の外観を示す図
【図４】図１に示される立体映像撮影システムにおけるレンズ装置１０Ｒとカメラ装置２０Ｒの内部構成を示す図
【図５】図１に示される立体映像撮影システムの動作を説明するためのフローチャート
【発明を実施するための形態】
【００１５】
以下、本発明の実施形態について図面を参照して説明する。
【００１６】
図１は、本発明の一実施形態を説明するための立体映像撮影システムの概略構成を示す図である。
【００１７】
この立体映像撮影システムは、電動リグ上に水平方向に並べて配置された２つのカメラ装置２０Ｒ，２０Ｌと、立体映像撮影用レンズシステムとを備える。カメラ装置２０Ｒとカメラ装置２０Ｌは、電動リグ上を少なくとも一方が水平方向に移動可能になっており、カメラ装置２０Ｒとカメラ装置２０Ｌの水平方向の間隔を変えられるようになっている。
【００１８】
立体映像撮影用レンズシステムは、電動リグ上に水平方向に並べて配置されたレンズ装置１０Ｒ，１０Ｌと、レンズ装置１０Ｒとレンズ装置１０Ｌの少なくとも一方の位置を制御してレンズ装置１０Ｒとレンズ装置１０Ｌにおける基線長（レンズ装置１０Ｒの光軸ＫＲとレンズ装置１０Ｌの光軸ＫＬとの間の距離）を変更するレンズ駆動部６０と、レンズ装置１０Ｒ，１０Ｌ及びレンズ駆動部６０を制御するコントローラが内蔵された、レンズ装置１０Ｒ，１０Ｌを操作するためのレンズ操作部３０とを備える。
【００１９】
レンズ装置１０Ｒはカメラ装置２０Ｒに装着され、レンズ装置１０Ｌはカメラ装置２０Ｌに装着されて用いられる。レンズ駆動部６０によりレンズ装置１０Ｒとレンズ装置１０Ｌの少なくとも一方の位置が変更されると、この変更に連動してカメラ装置２０Ｒ，２０Ｌの位置も変わるようになっている。
【００２０】
レンズ装置１０Ｒ及びカメラ装置２０Ｒによって撮影された画像と、レンズ装置１０Ｌ及びカメラ装置２０Ｌによって撮影された画像とには、レンズ装置１０Ｒとレンズ装置１０Ｌにおける基線長に応じた視差が発生する。このため、これら２つの画像を対応付けて記録することで、立体視可能な立体映像データを得ることができる。
【００２１】
レンズ装置１０Ｒとレンズ装置１０Ｌは、それぞれレンズ操作部３０とシリアル通信を行うためのインターフェース（ＩＦ）４１，４２を備える。
【００２２】
レンズ操作部３０は、レンズ装置１０Ｒ，１０Ｌの各々に含まれるフォーカスレンズ群を制御するフォーカスコントローラ３１と、フォーカス位置を指示するためのフォーカスノブ３２と、レンズ装置１０Ｒ，１０Ｌの各々に含まれるズームレンズ群を制御するズームコントローラ３３と、ズーム位置を指示するためのズームノブ３４とを備える。
【００２３】
フォーカスコントローラ３１は、レンズ駆動部６０に接続されるＩＦ３５と、レンズ装置１０ＲのＩＦ４１及びレンズ装置１０ＬのＩＦ４２に接続されるＩＦ３６と、ズームコントローラ３３のＩＦ３８に接続されるＩＦ３７とを備える。フォーカスコントローラ３１は、ＩＦ３６を介してレンズ装置１０Ｒ，１０Ｌと通信を行い、ＩＦ３５を介してレンズ駆動部６０と通信を行い、ＩＦ３７を介してズームコントローラ３３と通信を行う。
【００２４】
図２は、図１に示される立体映像撮影システムにおけるフォーカスコントローラ３１の内部構成を詳細に示す図である。図３は、図１に示される立体映像撮影システムにおけるフォーカスコントローラ３１とフォーカスノブ３２の外観を示す図である。
【００２５】
図２に示されるように、フォーカスコントローラ３１は、ＩＦ３５，３６，３７の他に、制御部５０と、基線長算出部５２と、立体感入力部５１と、立体感調整つまみ６０とを備える。
【００２６】
立体感調整つまみ６０は、立体感の度合いを指示するための操作部であり、図３に示すように、フォーカスコントローラ３１本体の外周面に設けられたダイヤル状のつまみである。
【００２７】
ユーザが、立体感調整つまみ６０の目盛り７０を“標準”の状態から右に回すと、立体映像撮影システムによって撮影される立体映像データの立体感を強くする指示を行うことができる。また、ユーザが、立体感調整つまみ６０の目盛り７０を“標準”の状態から左に回すと、立体映像撮影システムによって撮影される立体映像データの立体感を弱くする指示を行うことができる。目盛り７０を“強”に合わせたときが、立体感を最も強くする指示を行った状態であり、目盛り７０を“弱”に合わせたときが、立体感を最も弱くする指示を行った状態である。
【００２８】
なお、立体感調整つまみ６０は、ダイヤル式に限らず、例えばスライドバーによって強弱を変更できるものであってもよいし、プラスマイナスのボタンにより強弱を変更できるものであってもよい。
【００２９】
立体感入力部５１は、立体感調整つまみ６０の目盛り７０の位置を読み取って、ユーザから指示された立体感の度合いの情報を基線長算出部５２に入力する。
【００３０】
制御部５０は、フォーカスノブ３２の操作信号をフォーカス位置指令信号に変換し、このフォーカス位置指令信号を、ＩＦ３６を介してカメラ装置１０Ｒ，１０Ｌに送信すると共に、このフォーカス位置指令信号を用いて、被写体までの距離情報を算出する。
【００３１】
また、制御部５０は、ズームノブ３４の操作信号をズームコントローラ３３から受信し、受信した操作信号をズーム位置指令信号に変換し、このズーム位置指令信号を、ＩＦ３６を介してカメラ装置１０Ｒ，１０Ｌに送信すると共に、このズーム位置指令信号を用いてレンズ装置１０Ｒ，１０Ｌの焦点距離を算出する。
【００３２】
また、制御部５０にはＥＥＰＲＯＭ等のメモリが内蔵されており、このメモリには、カメラ装置２０Ｒ，２０Ｌに関する情報（搭載する撮像素子のサイズ、立体映像データの想定表示サイズ等）が予め記憶されている。
【００３３】
基線長算出部５２は、立体感入力部５１から入力された立体感の度合いを示す情報と、制御部５０に内蔵されるメモリに記憶されているカメラ装置２０Ｒ，２０Ｌに関する情報と、制御部５０によって算出された被写体までの距離情報及び焦点距離の情報（被写体に応じたカメラ装置２０Ｒ，２０Ｌの撮影条件）とを用いて、カメラ装置２０Ｒ，２０Ｌの撮影条件に適した立体映像データを、立体感調整つまみ６０によって指定された立体感で得るために最適な、レンズ装置１０Ｒ，１０Ｌの基線長の値を算出する。
【００３４】
基線長算出部５２は、例えば以下の式（１）の演算を行うことによって、ユーザの望む立体感をもった立体映像データを得るための基線長Ｘを算出する。
【００３５】
Ｘ＝（ｋ×Ｌ）／ｆ  ・・・（１）
ここで、ｋ＝｛（Ｐｍａｘ×Ｗｆ）／Ｗｓ｝×Ｄ
Ｌは、被写体までの距離
ｆは、レンズ装置１０Ｒ，１０Ｌの焦点距離
Ｐｍａｘは、想定表示サイズにおける最大視差（人間の眼幅６５ｍｍ付近）
Ｗｆは、カメラ装置２０Ｒ，２０Ｌに搭載される撮像素子の横幅（２／３インチ撮像素子の場合９．５８ｍｍ）
Ｗｓは、想定表示サイズの横幅（業務用の３Ｄテレビ用途の場合２０００ｍｍ前後）
Ｄは、立体感の度合に応じて決まる係数（例えば立体感調整つまみ６０の目盛り７０が標準に合わせられているときをＤ＝１とすると、立体感調整つまみ６０の目盛り７０が“強”に向かうにしたがってＤの値は増加し、立体感調整つまみ６０の目盛り７０が“弱”に向かうにしたがってＤの値は減少する）
【００３６】
Ｐｍａｘ、Ｗｆ、Ｗｓは、制御部５０の内部メモリに記憶されているデータである。
【００３７】
なお、式（１）は、風景をバックに人物を撮影するような場合を想定した式であるが、遠い位置にいる人物と近い位置にいる人物とを含むシーンを想定した場合には、以下の式（２）にしたがって基線長を算出することができる。
【００３８】
Ｘ＝［｛ｋ×（Ｌｍａｘ×Ｌｍｉｎ）｝／（Ｌｍａｘ−Ｌｍｉｎ）］／ｆ
・・・（２）
Ｌｍａｘは、最も遠い被写体までの距離
Ｌｍｉｎは、最も近い被写体までの距離
【００３９】
式（２）を採用する場合には、フォーカスコントローラ３１が基線長を算出するモードになったときに、ユーザが、まず最も遠い被写体に焦点があうようにフォーカスノブ３２を操作して図示しない決定ボタンを押し、その後、最も近い被写体に焦点があうようにフォーカスノブ３２を操作して図示しない決定ボタンを押す。フォーカスコントローラ３１の制御部５０は、決定ボタンが押された時点でのフォーカスノブ３２の位置からＬｍａｘとＬｍｉｎを算出すればよい。
【００４０】
なお、式（１）において、“Ｄ”を“ｋ”の式に含めない代わりに、“Ｌ”を“Ｌ×Ｄ”に変更したり、“ｆ”を“ｆ／Ｄ”に変更したりしてもよい。
【００４１】
図４は、図１に示される立体映像撮影システムにおけるレンズ装置１０Ｒとカメラ装置２０Ｒの内部構成を示す図である。
【００４２】
カメラ装置２０Ｒは、レンズ装置１０Ｒの光軸ＫＲ上に配置された撮像素子を含む撮像部２０１と、撮像部２０１により撮像して得られる撮像信号を処理して撮像画像データを生成する映像信号処理部２０２と、カメラ装置２０Ｒ全体を統括制御するＣＰＵ２０３と、レンズ装置１０Ｒとの通信を行うためのＳＣＩ（シリアルコミュニケーションインターフェース）２０４とを備える。
【００４３】
レンズ装置１０Ｒの撮影光学系は、フォーカスレンズ群１０１と、ズームレンズ群１０２，１０３と、絞り１０５と、マスターレンズ群１０６とを備え、これらが被写体側から順に並べて配置されている。
【００４４】
レンズ装置１０Ｒは、更に、フォーカスレンズ群１０１の位置を制御するフォーカスモータ１１５と、ズームレンズ群１０２，１０３の位置を制御するズームモータ１１６と、絞り１０５の開閉制御を行う絞りモータ１１７と、フォーカスモータ１１５、ズームモータ１１６、及び絞りモータ１１７を駆動するＣＰＵ１１４と、カメラ装置２０Ｒと通信を行うためのＳＣＩ１１３と、ＩＦ４１とを備える。
【００４５】
レンズ装置１０Ｌとカメラ装置２０Ｌの内部構成は、図４において、ＩＦ４１がＩＦ４２に変更されるだけであるため、詳細な説明は省略する。
【００４６】
レンズ装置１０Ｒ，１０Ｌの各々に含まれるＣＰＵ１１４は、フォーカスコントローラ３１から受信したフォーカス位置指令信号及びズーム位置指令信号にしたがって、フォーカスモータ１１５及びズームモータ１１６を駆動して、フォーカス位置制御、ズーム位置制御を行う。
【００４７】
次に、以上のように構成された立体映像撮影システムの動作について説明する。
【００４８】
図５は、図１に示される立体映像撮影システムの動作を説明するためのフローチャートである。
【００４９】
このシステムを利用するユーザは、準備段階として、まず、フォーカスコントローラ３１に搭載される図示しない通信端子にコンピュータを接続し、このコンピュータを用いて、カメラ装置２０Ｒ，２０Ｌに関する情報（カメラパラメータ）の入力を行う。コンピュータに入力されたカメラ装置２０Ｒ，２０Ｌに関する情報は、フォーカスコントローラ３１の制御部５０にて受信され、制御部５０内のメモリに記憶される。このカメラパラメータは、カメラ装置２０Ｒ，２０Ｌに搭載される撮像素子のサイズ、想定される立体映像データの表示サイズ、当該表示サイズ上での最大視差の情報等を含む。
【００５０】
次に、ユーザは、レンズ装置１０Ｒ，１０Ｌの電源を投入し、ズームノブ３４を操作してズーム位置を指定し、フォーカスノブ３２を操作してフォーカス位置を指定する。また、ユーザは、立体感調整つまみ６０を操作して、所望の立体感を指定する。
【００５１】
ズーム位置が指定されると、フォーカスコントローラ３１の制御部５０が、ズームコントローラ３３からズームノブ３４の操作信号を受信し、この操作信号をズーム位置指令信号に変換し（ステップＳ１）、ズーム位置指令信号をレンズ装置１０Ｒ，１０Ｌに送信する。レンズ装置１０Ｒ，１０Ｌでは、ズームレンズ群１０２，１０３が、当該ズーム位置指令信号にしたがって移動される。
【００５２】
次に、制御部５０は、ステップＳ１で得たズーム位置指令信号を用いてレンズ装置１０Ｒ，１０Ｌの焦点距離を算出し（ステップＳ２）、算出した焦点距離の情報を基線長算出部５２に入力する。レンズ装置１０Ｒ，１０Ｌの焦点距離とズームレンズ群１０２，１０３の位置とは対応しており、これらを対応付けたテーブルが制御部５０のメモリに予め記憶されているため、ズーム位置指令信号により、焦点距離を算出することができる。
【００５３】
なお、レンズ装置１０Ｒ，１０Ｌの焦点距離とズームレンズ群１０２，１０３の位置とを対応付けたテーブルは、立体映像撮影用レンズシステム１０の製造者が、これを出荷する前に、実測によって求めて制御部５０の内部メモリに記憶しておく。
【００５４】
フォーカス位置が指定されると、制御部５０は、フォーカスノブ３２の操作信号を受信し、この操作信号をフォーカス位置指令信号に変換し（ステップＳ３）、フォーカス位置指令信号をレンズ装置１０Ｒ，１０Ｌに送信する。レンズ装置１０Ｒ，１０Ｌでは、フォーカスレンズ群１０１が、当該フォーカス位置指令信号にしたがって移動される。
【００５５】
次に、制御部５０は、ステップＳ３で得たフォーカス位置指令信号を用いて被写体距離を算出し（ステップＳ４）、算出した被写体距離の情報を基線長算出部５２に入力する。被写体距離とフォーカスレンズ群１０１の位置とは対応しており、これらを対応付けたテーブルが制御部５０のメモリに予め記憶されているため、ズーム位置指令信号により、被写体距離を算出することができる。
【００５６】
なお、被写体距離とフォーカスレンズ群１０１の位置とを対応付けたテーブルは、立体映像撮影用レンズシステムの製造者が、これを出荷する前に、実測によって求めて制御部５０の内部メモリに記憶しておく。
【００５７】
次に、基線長算出部５２は、カメラ装置２０Ｒ，２０Ｌに関する情報（カメラパラメータ）を制御部５０の内部メモリから取得し（ステップＳ５）、立体感調整つまみ６０によって指定された立体感の度合いの情報を、立体感入力部５１から取得する（ステップＳ６）。
【００５８】
次に、基線長算出部５２は、制御部５０から入力された焦点距離の情報及び被写体距離の情報と、制御部５０の内部メモリから取得したカメラ装置２０Ｒ，２０Ｌに関する情報と、立体感入力部５１から入力された立体感の度合いの情報とを用いて、例えば前述した式（１）の演算を行って基線長を算出し（ステップＳ７）、算出した基線長を示す情報をレンズ駆動部６０に出力する（ステップＳ８）。
【００５９】
レンズ駆動部６０は、この情報を受信し、レンズ装置１０Ｒ及びレンズ装置１０Ｌの基線長が当該情報に基づく基線長となるように、レンズ装置１０Ｒ及びレンズ装置１０Ｌの少なくとも一方を電動リグ上で水平方向に移動させる（ステップＳ９）。
【００６０】
ステップＳ９の後は撮影シーケンスに移行し、撮影シーケンス中にフォーカスノブ３２、ズームノブ３４、及び立体感調整つまみ６０のいずれか１つが操作された場合には、再びステップＳ１〜Ｓ９の処理が行われて、基線長の再調整が行われる。
【００６１】
以上のように、図１に示される立体映像撮影システムによれば、焦点距離と被写体距離等の被写体に応じたカメラ装置２０Ｒ，２０Ｌの撮影条件だけでなく、立体感調整つまみ６０により指示された立体感の度合いをも考慮して基線長の算出を行うため、撮影条件に適した立体映像データを、ユーザが望む立体感を持ったものとして得ることができる。
【００６２】
例えば、基線長を手動で変更することのできるカメラシステムでは、撮影条件に適した基線長を知るには、何度も基線長を変更して、基線長と立体映像データとの関係を経験的に知る必要があり、相当の熟練が必要になる。
【００６３】
これに対し、図１に示される立体映像撮影システムによれば、基線長算出部５２によって算出される基線長が、撮影条件に最適な基線長を基準にして、その基線長を、立体感調整つまみ６０により指示された立体感の度合いにしたがって補正した値と同じになる（式（１）においてＤ＝１とした場合、基線長Ｘは撮影条件に最適な基線長となる）。このため、撮影対象とする被写体を立体視するのに適した立体映像データをユーザの望む立体感で得ることができる。しかも、このような効果を、熟練を要することなく簡単な操作で得ることができる。
【００６４】
また、図１に示される立体映像撮影システムによれば、カメラ装置２０Ｒ，２０Ｌの撮影条件が変更された場合でも、その撮影条件と立体感調整つまみ６０により指示された立体感の度合いとにしたがって基線長が再計算される。つまり、ユーザは、立体感調整つまみ６０を１度操作して所望の立体感を指示しておけば、その後に撮影条件が変わった場合でも、自動的にその立体感の立体映像データを得続けることができ、立体映像撮影システムの使い勝手を向上させることができる。
【００６５】
なお、基線長算出部５２は、カメラ装置２０Ｒ，２０Ｌによる撮影画の記録中は、立体感調整つまみ６０の操作の有無に関わらず、前記撮影画の記録開始直前に立体感調整つまみ６０によって指示された立体感の度合を示す情報と、カメラ装置２０Ｒ，２０Ｌの撮影条件とを利用して基線長を算出することが好ましい。
【００６６】
カメラ装置２０Ｒ，２０Ｌによる撮影画の記録中に、立体感調整つまみ６０の操作による立体感の度合いの変更を受け付けてしまうと、撮影中に基線長が大きく変更される可能性があり、見苦しい立体映像データとなってしまう。そこで、カメラ装置２０Ｒ，２０Ｌによる撮影画の記録中には、撮影画の記録開始直前に立体感調整つまみ６０によって指示された値と、撮影条件とを用いて基線長を算出することで、基線長が大幅に変更されるのを防ぐことができる。
【００６７】
また、以上の説明では、基線長算出部５２により算出された基線長にしたがって、レンズ装置１０Ｒ，１０Ｌの基線長が自動的に変更されるものとなっているが、これに限らない。例えば、基線長算出部５２により算出された基線長の情報を、ＩＦ３５に接続された表示装置に表示し、この表示装置を見たユーザが、表示された基線長となるように、レンズ装置１０Ｒ，１０Ｌの位置を手動で移動させる構成としてもよい。
【００６８】
また、基線長算出部５２により算出された基線長にしたがって、レンズ装置１０Ｒ，１０Ｌの基線長が自動的に変更される構成においても、基線長算出部５２により算出された基線長の情報を、ＩＦ３５に接続された表示装置に表示することで、ユーザに基線長を通知するようにしてもよい。このようにすることで、レンズ駆動部６０が故障してレンズ装置１０Ｒ，１０Ｌの位置制御が行われない場合でも、表示装置に表示される基線長によってレンズ装置１０Ｒ，１０Ｌを手動で移動させることができ、撮影を継続して行うことができる。
【００６９】
また、基線長算出部５２は、レンズ装置１０Ｒ又はレンズ装置１０Ｌ内に設けておいてもよい。この場合、レンズ装置１０Ｒ又はレンズ装置１０Ｌ内の基線長算出部５２が、フォーカスコントローラ３１から焦点距離、被写体距離、カメラパラメータ、立体感の度合いの情報を取得し、これらを利用して基線長を算出し、算出した基線長をフォーカスコントローラ３１を介してレンズ駆動部６０に出力したり、表示装置に出力したりすればよい。
【００７０】
フォーカスコントローラ３１は、比較的大きな筐体であるため、ここに基線長算出部５２と立体感調整つまみ６０を設けることで、システム全体のスペースを有効活用することができる。
【００７１】
以上説明してきたよう、本明細書には以下の事項が開示されている。
【００７２】
開示された立体映像撮影用レンズシステムは、２つのレンズ装置を有し、前記２つのレンズ装置における基線長を変更することが可能な立体映像撮影用レンズシステムであって、前記立体映像の立体感の度合いを指示するための立体感操作部と、前記立体感操作部を介して指示された前記立体感の度合いを示す情報と前記２つのレンズ装置が装着されるカメラ装置の撮影条件とを利用して、前記撮影条件に適した立体映像データを、前記立体感操作部によって指示された度合いの立体感で得るのに最適な基線長を算出し、当該基線長の情報を出力する基線長算出部とを備えるものである。
【００７３】
開示された立体映像撮影用レンズシステムは、前記基線長算出部から出力された基線長の情報に基づいて当該基線長となるよう前記２つのレンズ装置の少なくとも一方の位置を制御するレンズ位置制御部を備えるものである。
【００７４】
開示された立体映像撮影用レンズシステムは、前記基線長算出部は、前記２つのレンズ装置が装着されるカメラ装置による撮影画の記録中は、前記立体感操作部の操作の有無に関わらず、前記撮影画の記録開始直前に指示された前記立体感の度合を示す情報と前記撮影条件とを利用して前記最適な基線長を算出するものである。
【００７５】
開示された立体映像撮影用レンズシステムは、前記基線長算出部は、前記２つのレンズ装置を操作するためのレンズ操作部に設けられるものである。
【００７６】
開示された立体映像撮影用レンズシステムは、前記立体感操作部は、前記レンズ操作部に設けられるものである。
【００７７】
開示された立体映像撮影用レンズシステムは、前記基線長算出部から出力された前記基線長の情報を表示する表示装置を備えるものである。
【産業上の利用可能性】
【００７８】
本発明によれば、所望の立体感を持つ良好な立体映像データを簡単な操作で得ることが可能な立体映像撮影用レンズシステムを提供することができる。【００７９】
本発明を詳細にまた特定の実施態様を参照して説明したが、本発明の精神と範囲を逸脱することなく様々な変更や修正を加えることができることは当業者にとって明らかである。本出願は、２０１１年３月１８日出願の日本出願（特願２０１１−６１４５５）に基づくものであり、その内容はここに参照として取り込まれる。
【符号の説明】
【００８０】
１０Ｒ，１０Ｌ  レンズ装置
２０Ｒ，２０Ｌ  カメラ装置
５２  基線長算出部
６０  立体感調整つまみ
【図１】
2012128178.tif 000003
【図２】
2012128178.tif 000004
【図３】
2012128178.tif 000005
【図４】
2012128178.tif 000006
【図５】
2012128178.tif 000007
【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
２つのレンズ装置を有し、前記２つのレンズ装置における基線長を変更することが可能な立体映像撮影用レンズシステムであって、
前記立体映像の立体感の度合いを指示するための立体感操作部と、
前記立体感操作部を介して指示された前記立体感の度合いを示す情報と前記２つのレンズ装置が装着されるカメラ装置の撮影条件とを利用して、前記撮影条件に適した立体映像データを、前記立体感操作部によって指示された度合いの立体感で得るのに最適な基線長を算出し、当該基線長の情報を出力する基線長算出部とを備え、
前記基線長算出部は、前記２つのレンズ装置が装着されるカメラ装置による撮影画の記録中は、前記立体感操作部の操作の有無に関わらず、前記撮影画の記録開始直前に指示された前記立体感の度合を示す情報と、前記撮影画の記録中における前記撮影条件とを利用して前記最適な基線長を算出する立体映像撮影用レンズシステム。
【請求項２】
請求項１記載の立体映像撮影用レンズシステムであって、
前記基線長算出部から出力された基線長の情報に基づいて当該基線長となるよう前記２つのレンズ装置の少なくとも一方の位置を制御するレンズ位置制御部を備える立体映像撮影用レンズシステム。
【請求項３】
請求項１又は２記載の立体映像撮影用レンズシステムであって、
前記基線長算出部は、前記２つのレンズ装置を操作するためのレンズ操作部に設けられる立体映像撮影用レンズシステム。
【請求項４】
請求項３記載の立体映像撮影用レンズシステムであって、
前記立体感操作部は、前記レンズ操作部に設けられる立体映像撮影用レンズシステム。
【請求項５】
請求項１〜４のいずれか１項記載の立体映像撮影用レンズシステムであって、
前記基線長算出部から出力された前記基線長の情報を表示する表示装置を備える立体映像撮影用レンズシステム。
【国際調査報告】
2012128178.tif 000008
2012128178.tif 000009